(57)【要約】【課題】デザイン性を向上させることができる折り畳みボックスを提供する。【解決手段】折り畳みボックス１は、折り畳み可能なボックス部２と、ボックス部２を構成するいずれかの面に設けられ、発光領域がパターニングされた面状の表示部３と、表示部３に電力を供給する電源部４とを備えている。【選択図】図１
2010241437.tif 000002
【特許請求の範囲】
【請求項１】
折り畳み可能なボックス部と、
前記ボックス部を構成するいずれかの面に設けられ、ＥＬ発光する発光領域がパターニングされた面状の表示部と、
前記ボックス部に設けられ、前記表示部に電力を供給する電源部とを備えていることを特徴とする折り畳みボックス。
【請求項２】
前記表示部の少なくとも一部は、印刷法によって作製されていることを特徴とする請求項１に記載の折り畳みボックス。
【請求項３】
前記表示部は、
互いに絶縁された櫛歯状の一対の電極部を含む背面電極と、
前記背面電極と対向するように設けられた透明電極と、
前記背面電極と前記誘電体層との間に配置され、前記背面電極または前記透明電極のいずれかと絶縁された発光層とを備えていることを特徴とする請求項１または請求項２に記載の折り畳みボックス。
【請求項４】
前記透明電極によって、発光領域がパターニングされていることを特徴とする請求項３に記載の折り畳みボックス。
【請求項５】
前記ボックス部は、開閉可能に構成され、
前記電源部は、前記ボックス部の開閉に伴って、前記表示部のオン・オフを切り替える光センサを備えていることを特徴とする請求項１〜請求項４のいずれか１項に記載の折り畳みボックス。
【請求項６】
前記ボックス部は、開閉可能に構成され、
前記表示部は端子部を備え、
前記電源部は、前記端子部を介して前記表示部に電力を供給するための接点部を備え、
前記端子部または前記接点部は、前記ボックス部の開閉に伴って移動して、前記表示部のオン・オフを切り替えることを特徴とする請求項１〜請求項５のいずれか１項に記載の折り畳みボックス。
【発明の詳細な説明】
【技術分野】
【０００１】
本発明は、紙や樹脂等によって構成された折り畳みボックスに関する。
【背景技術】
【０００２】
従来、食品等を入れて搬送するための折り畳みボックスが知られている。特許文献１には、上部に取手を有し、厚紙によって構成された折り畳みボックスが開示されている。このような折り畳みボックスの場合、外面に店名や絵柄等が印刷されていることが多い。
【先行技術文献】
【特許文献】
【０００３】
【特許文献１】特開２０００−１８５７２７号公報
【発明の概要】
【発明が解決しようとする課題】
【０００４】
しかしながら、上述した特許文献１の技術では、折り畳みボックスに印刷された絵柄等が充分に見えているとは言い難く、デザイン性が劣るといった課題がある。
【０００５】
本発明は、上述した課題を解決するために創案されたものであり、デザイン性を向上させることができる折り畳みボックスを提供することを目的としている。
【課題を解決するための手段】
【０００６】
請求項１の発明は、折り畳み可能なボックス部と、前記ボックス部を構成するいずれかの面に設けられ、ＥＬ発光する発光領域がパターニングされた面状の表示部と、前記ボックス部に設けられ、前記表示部に電力を供給する電源部とを備えていることを特徴とする。
【０００７】
請求項２の発明は、前記表示部の少なくとも一部は、印刷法によって作製されていることを特徴とする。
【０００８】
請求項３の発明は、前記表示部は、互いに絶縁された櫛歯状の一対の電極部を含む背面電極と、前記背面電極と対向するように設けられた透明電極と、前記背面電極と前記誘電体層との間に配置され、前記背面電極または前記透明電極のいずれかと絶縁された発光層とを備えていることを特徴とする。
【０００９】
請求項４の発明は、前記透明電極によって、発光領域がパターニングされていることを特徴とする。
【００１０】
請求項５の発明は、前記ボックス部は、開閉可能に構成され、前記電源部は、前記ボックス部の開閉に伴って、前記表示部のオン・オフを切り替える光センサを備えていることを特徴とする。
【００１１】
請求項６の発明は、前記ボックス部は、開閉可能に構成され、前記表示部は端子部を備え、前記電源部は、前記端子部を介して前記表示部に電力を供給するための接点部を備え、前記端子部または前記接点部は、前記ボックス部の開閉に伴って移動して、前記表示部のオン・オフを切り替えることを特徴とする。
【発明の効果】
【００１２】
本発明によれば、表示部を所望のパターンで発光させることによって、デザイン性を向上させることができる。
【図面の簡単な説明】
【００１３】
【図１】第１実施形態による折り畳みボックスの全体斜視図（組み立て、開口時）である。
【図２】第１実施形態による折り畳みボックスの全体斜視図（折り畳み時）である。
【図３】第１実施形態による折り畳みボックスの全体斜視図（組み立て、閉口時）である。
【図４】第１実施形態による表示部の積層構造を説明する斜視図である。
【図５】第２実施形態による表示部の積層構造を説明する斜視図である。
【図６】第３実施形態による折り畳みボックスの電源部の周辺図（閉口時）である。
【図７】第３実施形態による折り畳みボックスの電源部の周辺図（開口時）である。
【発明を実施するための形態】
【００１４】
（第１実施形態）
以下、図面を参照して、本発明をケーキ用の折り畳みボックスに適用した第１実施形態について説明する。
【００１５】
図１は、第１実施形態による折り畳みボックスの全体斜視図（組み立て、開口時）である。図２は、第１実施形態による折り畳みボックスの全体斜視図（折り畳み時）である。図３は、第１実施形態による折り畳みボックスの全体斜視図（組み立て、閉口時）である。図４は、第１実施形態による表示部の積層構造を説明する斜視図である。尚、図１の矢印で示す＋Ｙ方向を正面方向とし、−Ｙ方向を背面方向とする。また、図１の矢印で示す＋Ｚ方向を上方向とし、−Ｚ方向を下方向（底面方向）とする。
【００１６】
図１に示すように、第１実施形態による折り畳みボックス１は、ボックス部２と、表示部３と、電源部４とを備えている。
【００１７】
ボックス部２は、図２に示すように、折り畳み可能な紙からなる。ボックス部２は、図１及び図３に示すように、組み立てることによって、直方体の箱状に構成される。このため、ボックス部２を構成する紙は、組み立てた際に崩れない程度の強度を必要とする。
【００１８】
ここで、図２に示すように、ボックス部２は、上面１１、正面１２、側面１３、１４、背面１５、底面１６を含む直方体形状に構成されている。ボックス部２の上面１１は、図３に示す閉口状態から、図１に示す開口可能に構成されている。
【００１９】
両側面１３、１４と底面１６は、図３に示す折り畳み状態では、折り線１３ａ、１４ａ、１６ａに沿って折られた状態で正面１２及び背面１５との間に折り込まれる。
【００２０】
表示部３は、所望のパターン（例えば、「Ｈａｐｐｙ  Ｂｉｒｔｈｄａｙ！！」）で光をＥＬ（エレクトロルミネッセンス）発光させるためのものである。表示部３は、ボックス部２の上面１１及び背面１５の内側に形成されている。
【００２１】
図４に示すように、表示部３は、背面電極２１と、誘電体層２２と、発光層２３と、透明電極２４と、保護層２５と、配線部２６、２７、２８とを備えている。
【００２２】
背面電極２１は、上面１１の内側に形成されている。背面電極２１は、長方形状に形成されている。背面電極２１は、カーボンをポリエステル系樹脂に分散させた材料からなる。尚、カーボンの代わりに銀等の導電性材料を分散させてもよい。背面電極２１は、約１０μｍの厚みを有する。
【００２３】
誘電体層２２は、発光層２３と背面電極２１とを絶縁するためのものである。誘電体層２２は、背面電極２１上の略全面に形成されている。誘電体層２２は、チタン酸バリウム粉をフッ素ゴム系樹脂に分散させた材料からなる。ここで誘電体層２２は、ボックス部２の上面１１と同じ色で構成することが好ましい。誘電体層２２は、約２０μｍの厚みを有する。
【００２４】
発光層２３は、ＥＬ発光させるためのものである。発光層２３は、誘電体層２２上に形成されている。ここで、発光層２３は、「Ｈａｐｐｙ  Ｂｉｒｔｈｄａｙ！！」の形状にパターニングされている。これにより、表示部３による発光領域がパターニングされる。発光層２３は、ＺｎＳ系の蛍光体粉をフッ素ゴム系樹脂に分散させた材料からなる。発光層２３の蛍光体として、ＺｎＳ系の蛍光体粉以外の無機ＥＬ材料を採用してもよい。発光層２３は、約２５μｍの厚みを有する。
【００２５】
透明電極２４は、誘電体層２２及び発光層２３の略全面に形成されたＩＴＯ（インジウム・スズ酸化物）からなる。透明電極２４は、発光層２３で発光された光を透過可能に構成されている。
【００２６】
保護層２５は、背面電極２１〜透明電極２４を保護するためのものである。保護層２５は、透明電極２４上に形成されている。保護層２５は、ポリエステル系樹脂からなる。
【００２７】
配線部２６、２７、２８は、表示部３と電源部４とを電気的に接続するためのものである。
【００２８】
配線部２６は、背面電極２１と一体的に同じ材料で構成されている。配線部２６は、ボックス部２の上面１１及び背面１５の内面に形成されている。配線部２６は、電源部４と背面電極２１とを電気的に接続する。
【００２９】
配線部２７は、背面電極２１と同じ材料で構成されている。配線部２７は、ボックス部２の上面１１及び背面１５の内面に形成されている。配線部２７は、背面電極２１と所定の間隔を開けて形成されている。これにより、配線部２７は、背面電極２１と絶縁される。配線部２７は、電源部４と接続されている。
【００３０】
配線部２８は、透明電極２４と一体的に同じ材料で構成されている。配線部２８は、透明電極２４と配線部２７との間に形成されている。これにより、透明電極２４は、配線部２７、２８を介して、電源部４に接続される。
【００３１】
電源部４は、表示部３に交流電力を供給するためのものである。電源部４は、ボックス部２の背面１５に貼り付けられている。電源部４は、回路部３１と、蓄電部３２と、スイッチ３３とを備えている。
【００３２】
回路部３１は、蓄電部３２から供給される直流電力を交流電力に変換して、表示部３に供給するためのものである。具体的には、回路部３１は、蓄電部３２から供給される直流電力を２００Ｖ〜３００Ｖの電圧を有し、約１ＫＨｚの周波数を有する交流電力に変換する。回路部３１は、インバーター等を含む。回路部３１は、配線部２６〜２８を介して、表示部３の背面電極２１及び透明電極２４に接続されている。
【００３３】
蓄電部３２は、回路部３１へと直流電力を供給するものである。蓄電部３２は、特に限定されるものではないが、ボタン型の小型電池等を適用することができる。また、折り畳みボックス１を使い捨てとして使用する場合は、表示部３を数回発光可能な程度の電荷を蓄電したキャパシタ等を蓄電部３２として適用してもよい。
【００３４】
スイッチ３３は、光に反応して表示部３のオン・オフを切り替えるものである。具体的には、上面１１によって閉口されている状態から上面１１が開けられることによって、スイッチ３３が光を受光すると、スイッチ３３は、回路部３１を介して表示部３をオン状態に切り替える。スイッチ３３として、ＣｄＳ系の光センサ等を採用することができる。尚、暗い場所での開閉を考慮すると、感度の高い光センサが好ましい。スイッチ３３は、ケーキを詰めるまで、遮光テープ（図示略）によって覆われている。
【００３５】
次に、上記した第１実施形態による折り畳みボックス１の作用（使用方法）について説明する。
【００３６】
まず、折り畳みボックス１は、図２に示すように、折り畳まれている。この状態から、折られている面１３、１４、１６を面状にして組み立てることによって、図１に示す状態となる。この状態から、ケーキ（図示略）を詰めた後、スイッチ３３の遮光テープを外す。この後、ボックス部２の上面１１によって開口部を閉じることによって、図３に示す状態になる。
【００３７】
次に、ケーキ購買者が、家等に持ち帰って上面１１を開けると、ボックス部２の内部に光が入射する。これにより、スイッチ３３が光を受光して、オン状態になる。この結果、蓄電部３２から供給される直流電力が回路部３１によって交流電力に変換されて、表示部３に供給される。
【００３８】
表示部３では、背面電極２１と透明電極２４との間に形成された発光層２３に交流電界が発生する。これにより、発光層２３の蛍光体の電荷が励起されて、光を発光する。ここで、発光層２３が「Ｈａｐｐｙ  Ｂｉｒｔｈｄａｙ！！」とパターニングされているので、発光領域もこのパターンとなる。
【００３９】
次に、上述した第１実施形態による折り畳みボックス１の製造方法について説明する。
【００４０】
まず、ボックス部２の型に合わせて、大型の紙を所定の形状に切断する。
【００４１】
次に、スクリーン印刷法によって、切断された紙のボックス部２の上面１１に対応する面にカーボン系導電性フィラーをポリエステル系樹脂に分散させたペーストを背面電極２１及び配線部２６、２７のパターンで印刷する。この後、約１３０℃〜約１７０℃で１０分〜２０分加熱することによってペーストを乾燥させて、背面電極２１及び配線部２６、２７を形成する。
【００４２】
次に、スクリーン印刷法によって、背面電極２１上にフッ素ゴム系樹脂にチタン酸バリウムを分散させたペーストを誘電体層２２のパターンで印刷する。この後、ペーストを約１００℃〜約１４０℃で数分〜数十分加熱することによって、乾燥させる。この工程を複数繰り返すことによって、多層構造の誘電体層２２を形成する。
【００４３】
次に、スクリーン印刷法によって、ＺｎＳ系の蛍光体をポリエステル系樹脂に分散させたペーストを誘電体層２２上に「Ｈａｐｐｙ  Ｂｉｒｔｈｄａｙ！！」のパターンで印刷する。この後、ペーストを約１００℃〜約１４０℃で数分加熱することによって乾燥させて、発光層２３を形成する。
【００４４】
次に、スクリーン印刷法によって、ＩＴＯインクを透明電極２４及び配線部２８のパターンで発光層２３上に形成する。また、透明電極２４は、配線部２８の配線と接続されるようにパターニングされる。
【００４５】
次に、ポリエステル系樹脂によって保護層２５を形成する。
【００４６】
これにより、表示部３が完成する。
【００４７】
次に、表示部３の配線部２６〜２８と接続されるように、ボックス部２の背面１５の所定の位置に電源部４を貼り付ける。
【００４８】
次に、ボックス部２の側面１３、１４と背面１５とを貼り付けるとともに、底面１６を側面１３、１４及び背面１５に貼り付ける。この後、折り線１３ａ、１４ａ、１６ａに沿って、側面１３、１４及び底面１６を折り畳む。これにより、図２に示すように、ボックス部２が折り畳まれた状態で完成する。
【００４９】
上述したように第１実施形態による折り畳みボックス１は、ボックス部２の上面１１の内側に表示部３を設けるとともに、電源部４にスイッチ３３を設けている。これにより、ボックス部２の上面１１を開けることによって、表示部３が、所望のパターンで発光する。これにより、暗い場所でもパターンが見え易く、デザイン性を向上させることができる。また、表示部３によってメッセージを表示することにより、プレミアム感を向上させることができる。この結果、店舗は、他店にないサービスを提供して、差別化を図ることができる。
【００５０】
また、折り畳みボックス１は、開口した際に、表示部３が発光するので、暗い場所でも、ボックス部２に詰められたケーキを容易に見ることができる。更に、これにより、ケーキそのものの存在感やケーキの美観等を向上させることができる。ボックス部２の上面１１の傾斜を変更することによって、ケーキに入射する光を変えることができるので、エンターテイメント性を向上させることもできる。
【００５１】
また、折り畳みボックス１は、スクリーン印刷法によって表示部３を作製しているので、表示部３を薄型化することができる。これにより、折り畳んだ際に、折り畳みボックス１が、厚くなることを抑制できる。
【００５２】
また、折り畳みボックス１は、表示部３を印刷によって作製するととともに、電源部４をボックス部２に貼り付けているので、容易に分離して別々に処分することができる。
【００５３】
（第２実施形態）
次に、上述した実施形態の表示部を変更した第２実施形態について説明する。図５は、第２実施形態による表示部の積層構造を説明する斜視図である。尚、上述した実施形態と同様の構成には、同じ符号を付けて説明を省略する。
【００５４】
図５に示すように、第２実施形態による折り畳みボックスの表示部３Ａは、背面電極２１Ａと、誘電体層２２と、発光層２３Ａと、透明電極２４Ａと、保護層２５とを備えている。
【００５５】
背面電極２１Ａは、一対の電極部４１、４２を有する。
【００５６】
電極部４１、４２は、ボックス部２の上面１１（図１参照）上に印刷法によって形成されている。電極部４１、４２は、平面視において、櫛歯状に形成されている。電極部４１の歯は、電極部４２の歯と歯の間に位置するように配置される。電極部４２の歯は、電極部４１の歯と歯の間に位置するように配置される。電極部４１と電極部４２は、互いに電気的に絶縁されている。電極部４１と電極部４２は、配線部４３、４４を介して、電源部４に接続されている。これにより、電極部４１と電極部４２との間に交流電力が供給される。
【００５７】
発光層２３Ａは、誘電体層２２上の略全面を覆うように形成されている。即ち、発光層２３Ａは、平面視において、略長方形状に形成されている。発光層２３Ａは、誘電体層２２によって背面電極２１Ａと絶縁されている。
【００５８】
透明電極２４Ａは、所望のパターン（Ｈａｐｐｙ  Ｂｉｒｔｈｄａｙ！！）で形成されている。即ち、透明電極２４Ａによって、発光領域がパターニングされる。透明電極２４Ａは、対向するように配置されている。透明電極２４Ａは、誘電体層２２によって背面電極２１Ａと絶縁されている。即ち、透明電極２４Ａには、電力が供給されない。
【００５９】
次に、第２実施形態による表示部３Ａの動作を説明する。
【００６０】
折り畳みボックスが組み立てられた状態で、ボックス部２の上面１１が開口されると、表示部３Ａはオン状態になる（図１参照）。これにより、電源部４から表示部３Ａの背面電極２１Ａの電極部４１と電極部４２との間に交流電力が供給される。これにより、電極部４１と透明電極２４Ａ、及び、電極部４２と透明電極２４Ａとの間に交流電界が生じる。この結果、電極部４１、４２と透明電極２４Ａとの間の発光層２３Ａが発光する。ここで、透明電極２４Ａは、「Ｈａｐｐｙ  Ｂｉｒｔｈｄａｙ！！」のパターンに形成されているので、発光領域も同じパターンとなる。
【００６１】
上述したように第２実施形態による表示部３Ａでは、背面電極２１Ａが一対の櫛歯状の電極部４１、４２を備えている。そして、電極部４１、４２間に交流電力を供給すれば、発光層２３Ａを発光させることができる。このため、透明電極２４Ａを電源部４と接続する必要がないので、透明電極２４Ａを複数に分割することができ、透明電極２４Ａの形状によって発光領域をパターニングすることができる。これにより、ＩＴＯインクをペン等で描画することによって透明電極２４Ａを形成して、発光領域を容易に所望の形状にパターニングすることができる。
【００６２】
また、背面電極２１Ａの電極部４１、４２及び配線部４３、４４をボックス部２の上面１１に形成しているので、電極部４１、４２から電源部４まで段差を越えることなく接続することができる。これにより、電極部４１、４２と電源部４との接触不良を抑制することができる。
【００６３】
（第３実施形態）
次に、上述した実施形態の表示部を変更した第３実施形態について説明する。図６は、第３実施形態による折り畳みボックスの電源部の周辺図（閉口時）である。図７は、第３実施形態による折り畳みボックスの電源部の周辺図（開口時）である。尚、上述した実施形態と同様の構成には、同じ符号を付けて説明を省略する。
【００６４】
第３実施形態では、表示部３のオン・オフ切り替えをスライド式のスイッチによって行っている。以下、具体的に説明する。
【００６５】
図６及び図７に示すように、第３実施形態による折り畳みボックスでは、表示部３が、紙等からなる基材２９上に印刷法によって形成されている。従って、表示部３は、基材２９を介してボックス部２の上面１１に貼り付けられている。表示部３は、電源部４から供給される交流電力を表示部３へと供給する配線部５１、５２を含む。
【００６６】
ここで基材２９は、表示部３の配線部５１、５２の下に対応する領域に形成された配線領域２９ａを含む。ここで、基材２９の配線領域２９ａは、ボックス部２の上面１１及び背面１５には、貼り付けられない。
【００６７】
配線部５１、５２の先端部は、基材２９の配線領域２９ａとともに、電源部４の回路部３１の内部に差し込まれている。上述したように、配線部５１、５２は、背面１５に貼り付けられていない配線領域２９ａ上に形成されている。これにより、配線部５１、５２は、ボックス部２の上面１１の開閉に伴って、電源部４の内部でスライドする。
【００６８】
配線部５１、５２の先端部には、端子部５３、５４が形成されている。端子部５３、５４は、配線部５１、５２の延びる方向とは交差する方向に延びるように形成されている。また、端子部５３、５４の延びる方向は、配線部５１、５２がスライドする方向（Ｚ方向）と交差する方向でもある。
【００６９】
電源部４の回路部３１には、一対の接点部５５、５６が設けられている。回路部３１は、端子部５３、５４を介して、交流電力を表示部３に供給する。上面１１の閉口時においては、接点部５５、５６は、端子部５３、５４とは異なる位置となるように配置されている。ここで、接点部５５、５６と端子部５３、５４とのＺ方向の距離は、上面１１が開口することによる配線部５１、５２のＺ方向のスライド距離と同じである。
【００７０】
次に、第３実施形態による折り畳みボックスの動作について説明する。
【００７１】
第３実施形態による折り畳みボックスにおいては、ボックス部２の上面１１が閉口した状態では、接点部５５、５６と端子部５３、５４とは、異なる位置に配置されている。これにより、電源部４と表示部３は、絶縁されたオフ状態となる。この状態から上面１１が開口されると、上面１１の開口に伴って、端子部５３、５４とともに配線部５１、５２が＋Ｚ方向へと回路部３１内をスライドする。これにより、接点部５５、５６と端子部５３、５４とが同じ位置となり、接続される。この結果、電源部４と表示部３とが接続されて、電源部４から表示部３へと交流電力が供給されて、表示部３が発光する。
【００７２】
上述したように第３実施形態による折り畳みボックスでは、上面１１の開口に伴い、配線部５１、５２をスライドさせて、表示部３のオン・オフを切り替えている。これにより、暗い場所でも、確実に表示部３をオン状態にすることができる。
【００７３】
尚、ボックス部２の上面１１の開口に伴って、電源部４の接点部５５、５６をスライドするように構成してもよい。
【００７４】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００７５】
上述した実施形態の形状、材料、数値等は適宜変更可能である。また、各実施形態を組み合わせてもよい。
【００７６】
また、上述した実施形態では、無機ＥＬ材料を含む発光層を有する表示部を例に示したが、有機ＥＬ材料を含む発光層やＬＥＤ（発光ダイオード）を有する高効率フレキシブル導光板等によって構成される表示部を適用してもよい。更に、有機ＥＬ材料やＬＥＤを採用する場合は、直流電力によって駆動できるので、電源部を簡略化することができる。
【００７７】
また、上述した実施形態では、直方体形状のボックス部を例に示したが、円筒形状、多角体形状等にボックス部を構成してもよい。
【００７８】
また、上述の実施形態では、ケーキ用の折り畳みボックスを例に説明したが、ケーキ以外の食品や花等を詰める折り畳みボックスに本発明を適用してもよい。
【００７９】
また、上述した実施形態では、ボックス部の上面に表示部を設ける例を示したが、側面等の別の面に設けてもよい。更に、表示部をボックス部の外面に設けてもよい。
【００８０】
また、上述の実施形態では、ボックス部の一面に表示部を印刷したが、表示部を紙や樹脂シート等の別の基材に印刷して、ボックス部に貼り付けてもよい。
【００８１】
また、電源部に太陽電池を設けてもよい。ここで、太陽電池は、スイッチと蓄電器とを兼ねさせることができる。太陽電池は、特に限定するものではないが、色素増感材料を用いたものを適用することができる。
【００８２】
また、スイッチをユーザーが操作可能な押圧式にしてもよい。更には、上面の開閉が機械的に検出できるスイッチを採用してもよい。
【００８３】
また上述の実施形態では、カーボンを含む樹脂によって背面電極を構成したが、背面電極もＩＴＯ等の透明電極によって構成してもよい。
【符号の説明】
【００８４】
１     折り畳みボックス
２     ボックス部
３、３Ａ      表示部
４     電源部
１１   上面
１２   正面
１３、１４    側面
１５   背面
１６   底面
１３ａ、１４ａ、１６ａ      折り線
２１、２１Ａ  背面電極
２２   誘電体層
２３、２３Ａ  発光層
２４、２４Ａ  透明電極
２５   保護層
２６、２７、２８     配線部
２９   基材
２９ａ 配線領域
３１   回路部
３２   蓄電部
３３   スイッチ
４１、４２    電極部
４３、４４    配線部
５１、５２    配線部
５３、５４    端子部
５５、５６    接点部
【図１】
2010241437.tif 000003
【図２】
2010241437.tif 000004
【図３】
2010241437.tif 000005
【図４】
2010241437.tif 000006
【図５】
2010241437.tif 000007
【図６】
2010241437.tif 000008
【図７】
2010241437.tif 000009